(57)【要約】【課題】  線路側アークホーン及び接地側アークホーンの何れにも続流遮断用絶縁筒体が取り付けられてなる一連懸垂碍子装置において、停電送電線の接地を容易に行うことができるようにする。【解決手段】  線路側アークホーン（８ａ，８ｂ）及び接地側アークホーン（５ａ，５ｂ）がそれぞれホーン取付金具（２ａ，２ｂ）を介して連結され、かつ、前記アークホーンの何れにも続流遮断用絶縁筒体（５２ａ，５２ｂ，８２ａ，８２ｂ）が取り付けられてなる一連懸垂碍子装置において、線路側アークホーン（８ａ，８ｂ）を懸垂碍子装置に連結させているホーン取付金具（２ｂ）に、被接地金具（９）を塔体側に向けて張り出させて取り付けたことを特徴とする一連懸垂碍子装置。【選択図】          図１
2006196396.tif 000002
【特許請求の範囲】
【請求項１】
線路側アークホーン（８ａ，８ｂ）及び接地側アークホーン（５ａ，５ｂ）がそれぞれホーン取付金具（２ａ，２ｂ）を介して連結され、かつ、前記アークホーンの何れにも続流遮断用絶縁筒体（５２ａ，５２ｂ，８２ａ，８２ｂ）が取り付けられてなる一連懸垂碍子装置において、前記線路側アークホーン（８ａ，８ｂ）を前記懸垂碍子装置に連結させているホーン取付金具（２ｂ）に、被接地金具（９）を塔体側に向けて張り出させて取り付けたことを特徴とする一連懸垂碍子装置。
【請求項２】
前記被接地金具（９）は、二股の脚部（９１）と両脚部を連結する屈曲部（９３）とからなり、前記二股の脚部（９１）を前記ホーン取付金具（２ｂ）のボルト穴（２３ａ，２４ａ，２３ｂ，２４ｂ）に挿通させて取り付けられている請求項１に記載の一連懸垂碍子装置。
【請求項３】
線路側アークホーン（８ａ，８ｂ）及び接地側アークホーン（５ａ，５ｂ）がそれぞれホーン取付金具（２ａ，２ｂ）を介して連結され、かつ、前記アークホーンの何れにも続流遮断用絶縁筒体（５２ａ，５２ｂ，８２ａ，８２ｂ）が取り付けられてなる一連懸垂碍子装置に用いられる被接地金具（９）であって、前記被接地金具（９）は、二股の脚部（９１）と両脚部を連結する屈曲部（９３）とからなり、該二股の脚部（９１）は、前記線路側アークホーン（８ａ，８ｂ）を前記懸垂碍子装置に連結させているホーン取付金具（２ｂ）のボルト穴（２３ａ，２４ａ，２３ｂ，２４ｂ）に挿通して固定できるように構成されていることを特徴とする被接地金具。
【請求項４】
前記二股の脚部（９１）は、ねじ切りされた雄ねじ部と該雄ねじ部に螺合するナット（９２）とからなる請求項３に記載の被接地金具。
【請求項５】
線路側アークホーン（８ａ，８ｂ）及び接地側アークホーン（５ａ，５ｂ）がそれぞれホーン取付金具（２ａ，２ｂ）を介して連結され、且つ、前記アークホーンの何れにも続流遮断用絶縁筒体（５２ａ，５２ｂ，８２ａ，８２ｂ）が取り付けられてなる一連懸垂碍子装置に支持された停電送電線を接地する方法であって、前記線路側アークホーン（８ａ，８ｂ）を前記懸垂碍子装置に連結させているホーン取付金具（２ｂ）に被接地金具（９）を設け、接地工具の接地金具（９７ａ，９７ｂ）に一端が連結された接続線（９６）を用いて、前記接地金具（９７ａ，９７ｂ）を前記被接地金具（９）に係合させ、前記接続線（９６）の他端を鉄塔に接続させる特徴とする停電送電線を接地する方法。
【発明の詳細な説明】
【技術分野】
【０００１】
本発明は、送電線を鉄塔間に架設するために用いられる一連懸垂碍子装置及びその被接地金具に関し、特に、線路側アークホーン及び接地側アークホーンの何れにも続流遮断用絶縁筒体が取り付けられている形式の一連懸垂碍子装置及びそれに用いられる被接地金具に関する。
【背景技術】
【０００２】
鉄塔間に架設された架空送電線は、送電線を流れる電気が鉄塔へ流入しないように鉄塔から絶縁された状態に保持される必要がある。そのため、架空送電線は碍子装置を介して鉄塔に支持されている。碍子装置には、これを雷撃や碍子汚染等に起因して発生するアークから碍子を保護するためにアークホーンが取り付けられている。しかし、雷撃時にアークホーン間に放電が起きると、碍子は保護されるとしても、送電線の電気が鉄塔を介して大地に流れ込み、地絡事故となる。一般に、この事故が数サイクル継続すると、変電所に設置された遮断機が動作して、送電が一時的にストップされた後、すぐに再閉路することにより送電が復帰される。この停電時間は極めて短いものであるが、近年のコンピュータ社会においては瞬時の電圧低下でも大きな損害をもたらすことがあり、地絡事故における停電時間をさらに短縮することが求められている。そこで、近年、雷撃などによる地絡事故における停電時間を遮断機が動作しない程度にまで短縮した碍子装置として、その接地側アークホーンの先端にアクティブホーン（登録商標）と称される続流遮断用絶縁筒体を取り付けたものが開発され、市販されている（特開平８−３２１３７２号公報参照）。
【０００３】
一方、架空送電線は、送電線の取替えや補修工事などの作業に際して停電状態とされるが、隣接した活線状態の送電線からの誘導により、作業中の送電線に誘導電圧が発生することがある。そこで、このような誘導電圧の発生を防止するために、作業中の送電線を接地する必要がある。接地は、接地工具を用いて鉄塔と碍子装置の線路側のアークホーンとを接続線で接続することにより行われる。また、碍子の線路側のアークホーンの取付金具に屈曲した棒状の被接地金具を設け、これと鉄塔とを接続して接地できるようにしたものも提案されている（特開２０００−２３１１１７号公報参照）。
【０００４】
【特許文献１】特開平８−３２１３７２号公報
【特許文献２】特開２０００−２３１１１７号公報
【発明の開示】
【発明が解決しようとする課題】
【０００５】
しかし、特開２０００−２３１１１７号公報に記載の被接地金具は、碍子連を複数備えた耐張碍子装置に関して提案されたものであり、しかも、接地工具を碍子連の上面を滑走させて被接地工具に到達させることを目的としたものであり、一つの碍子連を備えた一連懸垂碍子装置にそのまま適用することはできない。
【０００６】
また、近年、雷撃時の短絡電流の遮断性能をさらに向上させるとともに鳥害を防止するために、線路側アークホーン及び接地側アークホーンの何れにも続流遮断用絶縁筒体が取り付けられているアークホーン（例えば、スーパーアクティブホーン（商品名））が用いられるようになってきている。しかし、このようなアークホーンは、鳥害を防止するために金属部分が絶縁カバーで覆われているため、上述のような接地作業を行う場合に利用できる被接地箇所がないという問題があった。絶縁カバーを剥して接地箇所を確保することも考えられるが、絶縁カバーはポリ塩化ビニル（ＰＶＣ）などの硬質の材料で作られているためナイフ等で現場で露出加工することは困難であり、仮に露出させれば鳥害防止機能を著しく低下させることになる。
【０００７】
そこで、本発明は、線路側アークホーン及び接地側アークホーンの何れにも続流遮断用絶縁筒体が取り付けられてなる一連懸垂碍子装置において、停電送電線の接地を容易に行うことができるようにすることを目的とする。
【課題を解決するための手段】
【０００８】
本発明によれば、線路側アークホーン及び接地側アークホーンがそれぞれホーン取付金具を介して連結され、かつ、前記アークホーンの何れにも続流遮断用絶縁筒体が取り付けられてなる一連懸垂碍子装置において、前記線路側アークホーンを前記懸垂碍子装置に連結させているホーン取付金具に、被接地金具を塔体側に向けて張り出させて取り付けたことを特徴とする一連懸垂碍子装置が提供される。ここにおいて、前記被接地金具は、二股の脚部と両脚部を連結する屈曲部とからなり、前記二股の脚部を前記ホーン取付金具のボルト穴に挿通させて取り付けられていることが好ましい。
【０００９】
また、本発明の他の局面によれば、線路側アークホーン及び接地側アークホーンがそれぞれホーン取付金具を介して連結され、かつ、前記アークホーンの何れにも続流遮断用絶縁筒体が取り付けられてなる一連懸垂碍子装置に用いられる被接地金具であって、前記被接地金具は、二股の脚部と両脚部を連結する屈曲部とからなり、該二股の脚部は、前記線路側アークホーンを前記懸垂碍子装置に連結させているホーン取付金具のボルト穴に挿通して固定できるように構成されていることを特徴とする被接地金具が提供される。ここにおいて、前記二股の脚部は、ねじ切りされた雄ねじ部と該雄ねじ部に螺合するナットとからなり、かくして、前記ホーン取付金具のボルト穴に挿通して取り付けることができるようにされていることが好ましい。
【００１０】
また、本発明のさらに他の局面によれば、線路側アークホーン及び接地側アークホーンがそれぞれホーン取付金具を介して連結され、且つ、前記アークホーンの何れにも続流遮断用絶縁筒体が取り付けられてなる一連懸垂碍子装置に支持された停電送電線を接地する方法であって、前記線路側アークホーンを前記懸垂碍子装置に連結させているホーン取付金具に被接地金具を設け、接地工具の接地金具に一端が連結された接続線を用いて、前記接地金具を前記被接地金具に係合させ、前記接続線の他端を鉄塔に接続させる特徴とする停電送電線を接地する方法が提供される。
【発明の効果】
【００１１】
本発明によれば、線路側アークホーン及び接地側アークホーンの何れにも続流遮断用絶縁筒体が取り付けられてなる一連懸垂碍子装置において、線路側アークホーンを懸垂碍子装置に連結させているホーン取付金具に、被接地金具を塔体側に向けて張り出させて取り付けることとしたので、停電送電線の取替えや補修工事などの作業の際、作業者は、鉄塔から接地工具を用いて簡単に被接地金具にアクセスして停電送電線の接地を行うことができる。また、被接地金具は、ホーン取付金具に取り付けるだけでよいので、アークホーンの取替え工事時に現場で一緒に設けることができ、工事費も低コストに抑えられる。
【発明を実施するための最良の形態】
【００１２】
以下、本発明を図示の具体例に基づいて説明するが、本発明は該具体例のみに限定されるものではない。
【００１３】
図１は、本発明の一連懸垂碍子装置を示す概略図である。図１において、１は公知の方法によって相互に連結された一連の碍子連を示し、最上部及び最下部の碍子のみ図示し、中間の碍子は省略して示している。碍子連１の最上部の碍子は、そのクレビス１１にてホーン取付金具２ａと連結している。ホーン取付金具２ａは左右水平に延びる１対のアーム２１ａ，２１ｂと、その中央から下方に僅かに延びる基部２２とを備えた概略Ｔ字形の形状を有し、基部２２においてクレビス１１を枢支している。ホーン取付金具２ａは、基部２２の上方に枢支されたＵ字形のクレビス３を介して、鉄塔の腕金の所定位置に取り付けられた取付金具４に懸垂されている。
【００１４】
ホーン取付金具２ａの１対のアーム２１ａ，２１ｂは、それぞれ長手方向に離隔して配置された２つのボルト穴２３ａ，２４ａ及び２３ｂ，２４ｂを備え、それぞれの先端に接地側アークホーン５ａ，５ｂの基端部５１ａ，５１ｂが連接されている。接地側アークホーン５ａ，５ｂの基端部５１ａ，５１ｂの先端には、続流遮断用絶縁筒体５２ａ，５２ｂが一体に連結されている。かかる接地側アークホーン５ａ，５ｂの具体的な構造は、例えば、特開平８−３２１３７２号公報などに記載されている。
【００１５】
碍子連１の最下部の碍子は、平行クレビス６を介してホーン取付金具２ｂと連結している。ホーン取付金具２ｂは、ホーン取付金具２ａと同じものであり、これを上下逆転させて使用したものである。ホーン取付金具２ｂには、線路側アークホーン８ａ，８ｂが連接されている。線路側アークホーン８ａ，８ｂは、それぞれ、基端部８１ａ，８１ｂと続流遮断用絶縁筒体８２ａ，８２ｂとからなり、これらは、接地側アークホーン５ａ，５ｂの基端部５１ａ，５１ｂ及び続流遮断用絶縁筒体５２ａ，５２ｂと同様の構成を備えている。線路側アークホーン８ａ，８ｂと接地側アークホーン５ａ，５ｂとは同様のものを互換的に使用できる。ホーン取付金具２ｂの中央部には懸垂クランプ７が枢支されており、この懸垂クランプ７に送電線が把持される。
【００１６】
接地側アークホーン５ａ，５ｂ及び線路側アークホーン８ａ，８ｂにおいて、続流遮断用絶縁筒体５２ａ，５２ｂおよび８２ａ，８２ｂは塩化ビニル、ポリアミドなどのプラスチック材料で作成されており、また、基端部８１ａ，８１ｂは導電性材料で作成されているが、ホーン取付金具２ａ，２ｂとの連接部を除いて、表面は総て塩化ビニルなどのプラスチック材料で絶縁被覆されている。したがって、送電線の取替えや補修工事などの作業に際して、これらの部材を被接地箇所として用いることはできない。ホーン取付金具２ｂは導電性材料で作成されているため被接地箇所として用いることは可能であるが、一連懸垂碍子装置においては最下部に位置し、最下部の碍子に遮られてしまい、接地工具を用いたとしてもアクセスが容易ではない。
【００１７】
そこで、本発明では、ホーン取付金具２ｂに、被接地金具９を塔体側に向けて張り出させて取り付けることとした。被接地金具９は、導電性材料で作成され、塔体側に向けて張り出させてホーン取付金具２ｂに取り付け可能であれば特に限定されないが、ホーン取付金具２ｂの４つのボルト穴２３ａ，２４ａ，２３ｂ，２４ｂに挿通させて固定できるものであると好都合である。特に、図１に示されるように、二股の脚部と両脚部を連結する屈曲部とからなり、この二股の脚部を前記ホーン取付金具２ｂのボルト穴２３ａ，２４ａ，２３ｂ，２４ｂの少なくとも一つ、好ましくは２つに挿通させて取り付けることができるものが好ましい。
【００１８】
このような好ましい被接地金具９としては、例えば、図２に示されたＵ字状の被接地金具が挙げられる。この被接地金具は、断面円形の鋼棒をＵ字状に屈曲させて作成したものであり、二股の脚部９１は、外周がねじ切りされて雄ねじ部が形成されており、複数のナット９２・・・を螺合させることができる。そして、二股の脚部９１を連結している屈曲部９３は概略半円の弧状の形状を備えている。二股の脚部９１の間隔Ｐは、例えば、図１に示されるように、ホーン取付金具２ｂの隣接する２つのボルト穴（ボルト穴２３ｂおよび２４ｂ、ボルト穴２３ａ及び２３ｂ、ボルト穴２３ａ及び２４ａ）の間のピッチと同一にすることができる。しかしながら、碍子装置の設置状況に応じて、適宜、ホーン取付金具２ｂの２つの隣接しないボルト穴２３ａおよび２４ｂの間のピッチと同一にすることもできる。かくして、図１に示されるように、二股の脚部９１をそれぞれ対応するボルト穴に挿通させ、ナット９２を用いてホーン取付金具２ｂに締め付けることにより、被接地金具９を碍子装置に取り付けることができる。
【００１９】
被接地金具９の長さＡ、雄ねじ部の長さＳは、碍子装置の大きさや鉄塔との間隔によって適宜選択することができる。また、Ａ−Ｓで計算される被接地金具９の張り出し長さも、碍子装置の大きさや鉄塔との間隔によって適宜選択することができるが、一般的には、碍子の半径の１倍乃至１．２倍程度が好ましい。被接地金具９の径Ｈは、図４に示される接地工具の接地金具を構成するクランプ部９７ａ，９７ｂでクランプ可能な寸法とすることが好ましい。
【００２０】
別の好ましい被接地金具９としては、例えば、図３に示された被接地金具が挙げられる。図３の被接地金具は、屈曲部９３が二股の脚部９１の間隔Ｐよりも大きな直径の円弧状にされている以外、図２の被接地金具と同様の構成を有する。図３の被接地金具の場合、屈曲部９３の開口面積が図２の被接地金具よりも大きいので、固定顎部９７ａおよび可動顎部９７ｂからなる接地工具のクランプ部を挿通させ易く、したがって、屈曲部９３を固定顎部９７ａ及び可動顎部９７ｂの間に挟持する操作が容易になるという利点があり、特に、大規模な碍子装置で、鉄塔から被接地金具までの距離が長い場合に有利である。
【００２１】
図１（ｂ）に示されるように、接地側アークホーン５ａ，５ｂ及び線路側アークホーン８ａ，８ｂは、各先端部が鉄塔の塔体から離れる方向を向けて配置され、すなわち、碍子連１の軸線に対する角度θを３５〜４５℃程度に設定して傾斜させて配置される。これに対し、本発明の被接地金具９は、屈曲部９３が鉄塔の塔体側に向けて張り出すように取り付けられる。このような方向に取り付けることにより、本発明の被接地金具９は、作業者が鉄塔から図４に示されるような作業工具を用いて容易にアクセスでき、その際の視認性にも優れており、また、雷撃時のアーク放電の原因や鳥害による短絡の原因となることもない。
【００２２】
本発明の被接地金具９は、碍子装置の製造時にホーン取付金具２ｂに取り付けることができるが、鉄塔に設置された既存の碍子装置のホーン取付金具２ｂに追加的に現場で取り付けることもでき、たとえば、アークホーンを補修または交換する際、同時に被接地金具９を取り付けても良い。
【００２３】
本発明の被接地金具９を利用した接地は、例えば、図４に示される公知の接地工具を用いて容易に実施できる。図４の接地工具は、主棹部９５ａと、その先端部に固定された固定顎部９７ａと、これに揺動可能に枢支された可動顎部９７ｂと、主棹部９５ａに入れ子式に挿入され、これを回転させることにより可動顎部９７ｂを揺動させることができるように構成された操作棹部９５ｂと、固定顎部９７ａに一端が接続された接続線９６とを備えてなり、固定顎部９７ａ、可動顎部９７ｂおよび接続線９６以外は絶縁性の材料で作成されている。停電送電線の接地作業をする際、作業者は、この接地工具を用い、鉄塔から碍子装置の被接地金具９に接地工具の先端を接近させ、操作棹部９５ｂを回転させることにより、固定顎部９７ａと可動顎部９７ｂとの間に被接地金具９の屈曲部９３を挟持させる。その状態で、接続線９６の自由端部を鉄塔の適当な箇所に接続させることにより、接地は完了する。
【産業上の利用可能性】
【００２４】
本発明は、線路側アークホーン及び接地側アークホーンの何れにも続流遮断用絶縁筒体が取り付けられてなる一連懸垂碍子装置に、接地箇所を低コストで簡単に設けることを可能にするものであり、一連懸垂碍子装置の分野において有用である。
【図面の簡単な説明】
【００２５】
【図１】（ａ）は本発明の一連懸垂碍子装置を示す正面図であり、（ｂ）は（ａ）の側面図である。
【図２】（ａ）は本発明の被接地金具の具体例を示す平面図であり、（ｂ）は（ａ）の側面図（ナットを省略して示す）である。
【図３】（ａ）は本発明の被接地金具の他の具体例を示す平面図であり、（ｂ）は（ａ）の側面図（ナットを省略して示す）である。
【図４】本発明で用いる接地工具の一例を示す平面図である。
【符号の説明】
【００２６】
２ａ，２ｂ…ホーン取付金具、５ａ，５ｂ…接地側アークホーン、８ａ，８ｂ…線路側アークホーン、５２ａ，５２ｂ…続流遮断用絶縁筒体、８２ａ，８２ｂ…続流遮断用絶縁筒体、９…被接地金具。
【図１】
2006196396.tif 000003
【図２】
2006196396.tif 000004
【図３】
2006196396.tif 000005
【図４】
2006196396.tif 000006